(57)【要約】【課題】検問時に一旦停車させた被検問車両が急発進することを防止し、検問時の人身事故や事件を未然に防止する。【解決手段】自動車に装着されているタイヤを破壊する方法において、前記自動車の駆動手段によってタイヤが回転することにより、当該タイヤが利器に押圧し、前記タイヤを破壊する。  これにより、被検問車両が急発進してもタイヤが破壊され、更なる進行は抑制される。【選択図】図１
2006103653.tif 000002
【特許請求の範囲】
【請求項１】
自動車に装着されているタイヤを破壊する方法において、前記自動車の駆動手段によってタイヤが回転することにより、当該タイヤが利器に押圧し、前記タイヤを破壊するタイヤ破壊方法。
【請求項２】
利器を、タイヤの回転方向の前後に位置させることを特徴とする請求項１記載のタイヤ破壊方法。
【請求項３】
自動車に装着されているタイヤを破壊する装置において、タイヤを破壊するための利器と、当該利器を保持する保持台とよりなり、前記自動車の駆動手段によってタイヤが回転することにより、当該タイヤが前記利器に押圧されることによって、前記タイヤが破壊されることを特徴とするタイヤ破壊装置。
【請求項４】
利器は保持台に着脱可能に保持され、利器がタイヤに突入することによって当該利器は前記保持台から離脱され、当該タイヤに残留するように構成されている請求項３記載のタイヤ破壊装置。
【請求項５】
利器は軟質のカバーにて囲繞されている請求項３もしくは請求項４記載のタイヤ破壊装置。
【請求項６】
軟質のカバーは、タイヤが利器の尖端に対向する方向から押圧されることにより、当該利器の尖端によって破断され、前記利器は前記カバーの破断部を通過してタイヤに突入するように構成されている請求項５記載のタイヤ破壊装置。
【請求項７】
軟質のカバーは、人体が利器の尖端に対抗する方向からその体重によって押圧されても、当該利器の尖端によって破断されないように構成されている請求項６記載のタイヤ破壊装置。
【請求項８】
利器は金属で形成され、保持台は合成樹脂で形成され、カバーはゴムにて形成されている請求項３ないし請求項７のいずれかに記載のタイヤ破壊装置。
【請求項９】
利器は矢尻状を呈している請求項３ないし請求項８のいずれかに記載のタイヤ破壊装置。
【請求項１０】
頂部が鋭角の三角形状を呈している利器が複数個設けられ、当該利器は頂部が相互に接触するも基部は離間し、利器間に、当該利器がタイヤに突入した際にタイヤの内部と外部を連通してタイヤ内の空気を排出するための通気孔が設けられている請求項３ないし請求項９のいずれかに記載のタイヤ破壊装置。
【請求項１１】
利器は扁平な形状を呈し、扁平な側壁には、当該利器がタイヤに突入した際に、タイヤの内部と外部を連通してタイヤ内の空気を排出するための通気溝が設けられている請求項３ないし請求項９のいずれかに記載のタイヤ破壊装置。
【請求項１２】
利器は管状を呈し、当該利器がタイヤに突入した際に、タイヤの内部と外部を連通してタイヤ内の空気を排出するための通気路が設けられている請求項３ないし請求項９のいずれかに記載のタイヤ破壊装置。
【請求項１３】
利器の尖端面は注射針の尖端と同様に、その延在方向と交差すように鋭利に形成されている請求項１２記載のタイヤ破壊装置。
【請求項１４】
利器の周囲に凹凸が形成されている請求項１２もしくは請求項１３記載のタイヤ破壊装置。
【請求項１５】
利器の基部に拡開部が形成されている請求項１２ないし請求項１４のいずれかに記載のタイヤ破壊装置。
【請求項１６】
カバーは三角筒を呈し、当該三角筒の一側面に保持台が装着され、当該保持台に利器の基部が装着されており、前記利器の尖端は、三角筒の保持台が装着されている側面に対向する稜線の方向を向いている請求項５ないし請求項１５のいずれかに記載のタイヤ破壊装置。
【請求項１７】
一対の支持桿が設けられ、当該支持桿の自由端部近傍に夫々利器が装着され、当該支持桿は基端部近傍がスライダに装着され、当該スライダは支柱に摺動自在に装着されており、前記利器が相互に連携してタイヤの回転方向の前後に位置するように構成されている請求項３ないし請求項１６のいずれかに記載のタイヤ破壊装置。
【請求項１８】
スライダを下方に移動させることによって、両利器が離間するように構成されている請求項１７記載のタイヤ破壊装置。
【請求項１９】
節度的に伸縮する伸縮本体の先端部に支持桿が設けられ、当該支持桿の自由端部近傍に利器が装着されている請求項３ないし請求項１６のいずれかに記載のタイヤ破壊装置。
【請求項２０】
利器は支持桿の先端部に少なくとも複数個設けられ、前記利器が相互に連携してタイヤの回転方向の前後に位置するように構成されている請求項１９記載のタイヤ破壊装置。
【発明の詳細な説明】
【技術分野】
【０００１】  本発明は、自動車に装着されているタイヤを破壊する方法および装置に関するものである。【０００２】  警察官が各種検問を実行するために、走行中の自動車を停止させて運転手と会話をしたり、車内を検索することは周知である。【０００３】  また、警察官が前記自動車を停止させている間に、運転手が逃走等を目的として当該警察官の意に反して自動車を急発進させ、結果として当該警察官を負傷させたり場合によっては死に到らしめることもある。【０００４】  特に運転手が薬物中毒のような場合には、特にこの傾向が強く、重大事故を招くことも散見される。
【背景技術】
【０００５】  セルフサービスの駐車場には、自動車が所定の位置に停止すると自動的にタイヤ移動阻止装置が作動し、そのままでは駐車中の自動車を発進させようとしてもそれを阻止する装置も周知である。【０００６】  なお、運転手等が所定の金員を投入すると前記タイヤ移動阻止装置はタイヤを開放すような構成となっている。
【発明が解決しようとする課題】
【０００７】  前述のように、警官が検問を行う際に被検問車両が突然急発進して生じる事故や事件を防止するために、所謂車止めを利用することが考えられるが、一般的な車止めでは、高出力の自動車であるとそれを容易に乗り越える虞があるので、かかる暴走車を確実に停止させる装置が求められていた。
【０００８】  本発明は、かかる要望に応えるものであって、被検問車両が急発進した場合にそのタイヤを破壊（パンクやバースト）して、当該車両の進行を阻止し、人命に関わる事故や事件を未然に防止せんとするものである。
【課題を解決するための手段】
【０００９】  第１の発明は、自動車に装着されているタイヤを破壊する方法において、前記自動車の駆動手段によってタイヤが回転することにより、当該タイヤが利器に押圧し、前記タイヤを破壊するものである。
【００１０】  本発明は、自動車の駆動手段によってタイヤが回転することにより、当該タイヤが利器に押圧し、前記タイヤを破壊するものであるので、検問時に被検問車両のタイヤの走行位置に前記利器を位置させると、当該車両が突然発進してもタイヤが前記利器を踏みつけて破壊され、それ以上の走行は抑制されることになる。
【００１１】  第２の発明は、第１の発明を前提とし、利器を、タイヤの回転方向の前後に位置させることを特徴とするタイヤ破壊方法である。
【００１２】本発明では、利器をタイヤの回転方向の前後に位置させるので、被検問車両が前進しても後退してもタイヤは利器によって破壊されその走行はより確実に抑制されることになる。
【００１３】  第３の発明は、自動車に装着されているタイヤを破壊する装置において、タイヤを破壊するための利器と、当該利器を保持する保持台とよりなり、自動車の駆動手段によってタイヤが回転することにより、当該タイヤが前記利器に押圧されることによって、前記タイヤが破壊されることを特徴とするものである。
【００１４】  本発明では、タイヤを破壊するための利器と、当該利器を保持する保持台とよりなり、自動車の駆動手段によってタイヤが回転することにより、当該タイヤが前記利器に押圧されることによって、前記タイヤが破壊されるので、検問時に被検問車両のタイヤの走行位置に前記利器を位置させると、当該車両が突然発進してもタイヤが前記利器を踏みつけて破壊され、それ以上の走行は抑制されることになる。
【００１５】  第４の発明は、第３の発明を前提とし、利器は保持台に着脱可能に保持され、利器がタイヤに突入することによって当該利器は前記保持台から離脱され、当該タイヤに残留するように構成されているものである。
【００１６】  本発明では、利器がタイヤに突入することによって当該利器は前記保持台から離脱され、当該タイヤに残留するので、車両が走行を強行してもタイヤに利器が突入したままの状態で走行することになり、タイヤは確実に破壊されることになる。
【００１７】  第５の発明は、第３もしくは第４の発明を前提とし、利器は軟質のカバーにて囲繞されているタイヤ破壊装置である。
【００１８】  本発明では、利器は軟質のカバーにて囲繞されているので、人体が誤って前記利器に接触するような状態が生じても、前記カバーにて人体が直接利器と接触するが防止され、怪我をすることがない。
【００１９】  第６の発明は、第５の発明を前提とし、軟質のカバーは、タイヤが利器の尖端に対向する方向から押圧されることにより、当該利器の尖端によって破断され、前記利器は前記カバーの破断部を通過してタイヤに突入するように構成されているタイヤ破壊装置である。
【００２０】  本発明では、軟質のカバーは、タイヤが利器の尖端に対向する方向から押圧されることにより、当該利器の尖端によって破断され、前記利器は前記カバーの破断部を通過してタイヤに突入するように構成されているので、タイヤが利器を踏みつけると前記カバーが破断され、当該タイヤは前記利器にて破壊されることになる。
【００２１】  第７の発明は、第６の発明を前提とし、軟質のカバーは、人体が利器の尖端に対抗する方向からその体重によって押圧されても、当該利器の尖端によって破断されないように構成されているタイヤ破壊装置である。
【００２２】  本発明では、軟質のカバーは、人体が利器の尖端に対抗する方向からその体重によって押圧されても、当該利器の尖端によって破断されないように構成されているので、人間が誤って前記利器を踏みつけても利器の尖端が人体に到達することがなく、安全である。
【００２３】  第８の発明は第３ないし第７のいずれかの発明を前提とし、利器は金属で形成され、保持台は合成樹脂で形成され、カバーはゴムにて形成されているタイヤ破壊装置。
【００２４】  本発明では、利器は金属で形成されているのでタイヤを確実に破壊することができ、また、保持台は合成樹脂で形成されているので、タイヤがそれを踏みつけた際にあらぬ方向に飛翔して人体などに当接しても深刻な傷害を与えず、さらに、カバーはゴムにて形成されているので、人体に直接接触しても傷害を与えることはない。
【００２５】  第９の発明は、第３ないし第８のいずれかの発明を前提とし、利器は矢尻状を呈しているタイヤ破壊装置である。
【００２６】  本発明では、利器は矢尻状を呈しているので、当該利器がタイヤに刺さった状態で容易に抜去されることはなく、確実にタイヤを破壊することが可能となる。
【００２７】  第１０の発明は、第３ないし第９のいずれかの発明を前提とし、頂部が鋭角の三角形状を呈している利器が複数個設けられ、当該利器は頂部が相互に接触するも基部は離間し、利器間に、当該利器がタイヤに突入した際にタイヤの内部と外部を連通してタイヤ内の空気を排出するための通気孔が設けられているタイヤ破壊装置である。
【００２８】  本発明では、利器がタイヤに突入した際にタイヤの内部と外部を連通してタイヤ内の空気を排出するための通気孔が設けられているので、利器がタイヤに突入しただけではタイヤ内の空気が排出され難いような場合であっても、通気孔を通してタイヤ内の空気が容易に外部に排出され、短時間で確実にタイヤをパンクさせることが可能となる。
【００２９】  第１１の発明は、第３ないし第９のいずれかの発明を前提とし、利器は扁平な形状を呈し、扁平な側壁には、当該利器がタイヤに突入した際に、タイヤの内部と外部を連通してタイヤ内の空気を排出するための通気溝が設けられているタイヤ破壊装置である。
【００３０】  本発明では、タイヤの内部と外部を連通してタイヤ内の空気を外部に排出するための通気溝が設けられているので、利器がタイヤに突入しただけではタイヤ内の空気が排出され難いような場合であっても、通気溝を通してタイヤ内の空気が容易に排出され、短時間で確実にタイヤをパンクさせることが可能となる。
【００３１】  第１２の発明は、第３ないし第９のいずれかの発明を前提とし、利器は管状を呈し、当該利器がタイヤに突入した際に、タイヤの内部と外部を連通してタイヤ内の空気を排出するための通気路が設けられているタイヤ破壊装置である。
【００３２】  本発明では、利器は中空状を呈し、タイヤの内部と外部を連通してタイヤ内の空気を外部に排出するための通気路が設けられているので、例えば一般的な釘のように中実状の利器がタイヤに突入し、タイヤ内の空気が排出され難いような場合であっても、通気溝を通してタイヤ内の空気が容易に排出され、短時間で確実にタイヤをパンクさせることが可能となる。
【００３３】  第１３の発明は、第１２の発明を前提とし、利器の尖端面は注射針の尖端と同様に、その延在方向と交差するように鋭利に形成されているタイヤ破壊装置である。
【００３４】  本発明では、利器の尖端面は、注射針の尖端と同様に、その延在方向と交差するように鋭利に形成されているので、タイヤに容易に突入することが可能である。
【００３５】  第１４の発明は、第１３の発明を前提とし、利器の周囲に凹凸が形成されているタイヤ破壊装置である。
【００３６】  本発明では、利器の周囲に凹凸が形成されているので、タイヤに突入した利器は当該凹凸部がタイヤの断面に食い込み、タイヤが回転を続けても当該利器はタイヤから抜去されることがなく、利器がタイヤに突入された状態が確実に維持される。
【００３７】  第１５の発明は、第１４の発明を前提とし、利器の基部に拡開部が形成されているタイヤ破壊装置である。
【００３８】  本発明では、利器の基部に拡開部が形成されているので、タイヤに突入した利器は拡開部で停止し、それ以上はタイヤには進入せず、利器が完全にタイヤの空洞部内に埋没することはない。
【００３９】  もし、利器が完全にタイヤを通過してタイヤ内に抜けタイヤの空洞部に埋没してしまうと、利器によって一旦タイヤに穿設された穿孔が目詰まりを起こし。タイヤ内の空気が容易に外部に排出されないこととなる。
【００４０】  第１６の発明は、前記第５ないし第１５のいずれかの発明を前提とし、カバーは三角筒を呈し、当該三角筒の一側面に保持台が装着され、当該保持台に利器の基部が装着されており、前記利器の尖端は、三角筒の保持台が装着されている側面に対向する稜線の方向を向いている破壊装置である。
【００４１】  本発明では、カバーは三角筒を呈し、当該三角筒の一側面に保持台が装着され、当該保持台に利器の基部が装着されており、前記利器の尖端は、三角筒の保持台が装着されている側面に対向する稜線の方向を向いているので、地上に利器を設置する際、前記稜線が上となる姿勢で設置すると、前記利器によって容易にタイヤが破壊されることになる。
【００４２】  第１７の発明は、第３ないし第１６のいずれかの発明を前提として、一対の支持桿が設けられており、当該支持桿の自由端部近傍に夫々利器が装着され、当該支持桿は基端部近傍がスライダに装着され、当該スライダは支柱に摺動自在に装着されており、前記利器が相互に連携してタイヤの回転方向の前後に位置するように構成されているタイヤ破壊装置である。
【００４３】  本発明では、一対の支持桿が設けられ、当該支持桿の自由端部近傍に夫々利器が装着され、当該支持桿は基端部近傍がスライダに装着され、当該スライダは支柱に摺動自在に装着されており、前記利器が相互に連携してタイヤの回転方向の前後に位置するように構成されているので、少なくとも２個の利器がセットで備えられていることになり、タイヤの回転方向の前後に前記利器を短時間で設置することができる。
【００４４】  第１８の発明は、第１７の発明を前提として、スライダを下方に移動させることによって、両利器が離間するように構成されているタイヤ破壊装置である。
【００４５】  本発明では、スライダを下方に移動させることによって、両利器が離間するように構成されているので、タイヤの大小に合わせて両利器の間隔を容易に調整することができる。
【００４６】  第１９の発明は、第２ないし第１６のいずれかの発明を前提とし、節度的に伸縮する伸縮本体の先端部に支持桿が設けられ、当該支持桿の自由端部近傍に利器が装着されているタイヤ破壊装置である。
【００４７】  本発明では、節度的に伸縮する伸縮本体の尖端部に支持桿が設けられ、当該支持桿の自由端部近傍に利器が装着されているので、前記利器をタイヤの前方に素早く位置させることができ、とっさの場合にも対応が可能となる。
【００４８】  第２０の発明は、第１９の発明を前提とし、利器は支持桿の先端部に少なくとも複数個設けられ、前記利器が相互に連携してタイヤの回転方向の前後に位置するように構成されているタイヤ破壊装置である。
【００４９】  本発明では、前記利器が相互に連携してタイヤの回転方向の前後に位置するように構成されているので、複数の利器がセットで備えられていることになり、タイヤの回転方向の前後に前記利器を短時間で設置することができる。
【発明を実施するための最良の形態】
【００５０】  図面に従いタイヤ破壊装置について説明する。【００５１】  図１はタイヤ破壊装置の外観斜視図、図２は利器と保持台の斜視図、図３はタイヤ破壊装置の縦断面図、図４はタイヤ破壊装置にて破壊中のタイヤの縦断面図、図５は利器が離脱した状態のタイヤ破壊装置の縦断面図、図６は複数のタイヤ破壊装置が連携して備えられた装置の斜視図、図７は図６とは異なる態様の複数のタイヤ破壊装置が連携して備えられた装置の斜視図、図８は図７の支持桿の横断面図、図９は図８の部分横断面図、図１０は矢尻形の利器の正面図、図１１は矢尻形の利器の平面図、図１２は三角錐形の利器の正面図、図１３は三角錐形の利器の平面図、図１４は注射針形の利器の正面図、図１５は注射針形の利器の側面図、図１６は複数の注射針形の利器の正面図そして図１７は複数の注射針形の利器の平面図である。【００５２】  これらの図において、１は厚さが１０ｍｍ程度のプラスチック製もしくは比較的高密度の発泡プラスチック（例えば発泡ウレタン）の矩形の保持台で、その中央部に矢尻状の利器（突起物）２の基部が着脱可能に保持されている。【００５３】  また、保持台１と利器２を全体的に囲繞するように、軟質のゴム製のカバー３が装着されている。【００５４】  前記カバー３は三角筒状を呈し、当該三角筒の一側面に保持台１が装着され、当該保持台１に利器２の基部が装着されており、前記利器２の尖端は、三角筒の保持台１が装着されている側面に対向する稜線の方向を向いている。【００５５】  前記カバー３は三角筒状を呈しているために、内部に空間４が形成されている。【００５６】  なお、保持台１は必ずしもプラスチックでなくともよく、金属で形成することも可能であり、また利器２も必ずしも金属でなくともセラミックでもよい。さらにカバーはゴムでなくとのもよく、発泡スチロールなどの軟質のプラスチックやスポンジで形成することも可能である。【００５７】  タイヤ５が利器２を踏みつけると、図４に示すように、先ずカバー３の上部が変形し、タイヤ５が利器２の尖端（上端）に対向する方向から押圧され、カバー３は利器２の尖端によって破断され、前記利器２は前記カバー３の破断部を通過してタイヤ５に突入し当該タイヤ５は破壊されることになる。【００５８】  なお、カバー３が人体が利器２の尖端に対抗する方向からその体重によって押圧されても、当該利器２の尖端によって破断されないように構成されていると、人間が誤って前記利器２を踏みつけても利器２の尖端が人体に到達することがなく、安全である。【００５９】  また、タイヤ５に突入し刺さった利器２は、図５に示すように保持台１から抜去されてタイヤ５側に残留し（矢印Ａ参照）、そのままタイヤ５が回転すると利器２よる破壊はより一層進行することになる。【００６０】  なお、利器２の扁平な側壁には、当該利器がタイヤ５に突入した際に、タイヤ５の内部と外部を連通してタイヤ５内の空気を排出するための通気溝９が削設されている。【００６１】  かように、タイヤ５の内部と外部を連通してタイヤ５内の空気を外部に排出するための通気溝９が削設されていると、通気溝の存在しない利器がタイヤに突入しただけではタイヤ内の空気が排出され難いような場合であっても、通気溝９を通してタイヤ５内の空気が容易に排出され、短時間で確実にタイヤをパンクさせることが可能となる。【００６２】  次いで、図６について説明すると、鉛直方向に延在する支柱６が設けられ、当該支柱６にスライダ８が摺動自在に装着され、当該スライダ７に２本一対の支持桿８の基端部が接続され、当該支持桿８の自由端部に夫々利器２の保持台１が装着されている。【００６３】  そして、スライダ７を上下方向（矢印Ｂ参照）に移動させることによって、両利器２が接近離間（矢印Ｃ参照）することになる。【００６４】  従って、タイヤ５の大小に合わせて両利器２の間隔を容易に調整することができる。【００６５】  次に、図７ないし図９に従い、図６に示す実施の態様とは異なる他の実施の態様について説明する。【００６６】  なお、図７においては利器２についての図示は省略する。【００６７】  保持桿は、辺の寸法の異なる３本の金属製の外筒１０、中筒１１、内筒１３が相互に摺動自在に装着されて形成されており、中筒の相互に対向する一対の側壁に長孔１２、１５が削設されており、外筒１０の内壁の一部と内筒１３の外壁の一部に、前記長孔１２、１５に嵌合しかつ摺動自在な摺動ピン１６、１４が固設されている。【００６８】  従って、外筒１０、中筒１１、内筒１３は、外筒１０の内方向に突出する摺動ピン１６が中筒１１の一方の長孔１２に嵌合し、内筒１３の外方向に突出する摺動ピン１４が中筒１１の他方の長孔１５に嵌合して、相互に摺動自在に組み立てられることになる。【００６９】  なお、支持桿８、８の基端部は内筒１３の先端部に折曲自在に装着されており、利器２を収納する場合には、前記支持桿８、８を、図７では支持桿８、８の基端部近傍（内筒１３との接続部近傍）を支点として上方に折曲させ、外筒１０の側方に当該外筒１０と平行となるように位置させることが可能となるように構成されており、収納時には全体としてコンパクトになる。【００７０】  かように中筒１１の対向する一対の側面に長孔１２、１５を穿設する場合、例えばフライス盤やレーザービーム加工機によって両長孔１２、１５を略同時に一気に加工することができ、個別に長孔を加工する場合に比べ加工コストが安価となる。【００７１】  本実施の形態ではかように構成されているので、警察官が外筒１１を把持して利器２が装着されている支持桿８、８を、停止を命じた車両のタイヤの側方に向けて押し出すと、中筒１１、内筒１３および利器２が装着されている支持桿８、８が節度的に延出し、前記利器２が所定の位置にすばやく到達することになる。【００７２】  なお、この際、利器２は内筒１３の延長上にのみ設けておき、よりすばやく対応できるように構成してもよい。【００７３】  また、利器２、２と支持桿８、８のみにて構成し、私有地への無断駐車への制裁用の装置としても利用することが可能となる。【００７４】  即ち、無断駐車に対して当該装置をタイヤに固定しておけば、当該車両の運転手が車両を発進させることによって、自らが自動車をパンクさせることになり、以後当該場所に無断駐車をすることがなくなることが期待できる。【００７５】  次に、図１０、図１１に従い前記矢尻形の利器２について若干説明を加えるを、利器２は最大厚さが３��７ｍｍ程度、幅が２０〜４０ｍｍ程度、高さが３０〜５０ｍｍ程度、表裏に形成されている通気溝９、９の幅と深さは夫々１〜２ｍｍ程度が適当で、材質は硬質のステンレスでもよいが、鋼で形成し、形成後に焼入れをすることが望ましい。【００７６】  なお、寸法や材質、熱処理については必ずしも上記のように構成する必要はなく、事情に応じて適宜選択できるものである。【００７７】  次に、図１２、図１３に従い、三角錐形の利器２２について説明すると、頂部が鋭角の三角形状を呈している利器２２、２２が保持台１に２個設けられ、当該利器２２、２２は頂部が相互に接触するも基部は離間し、利器間に、当該利器２２、２２がタイヤ５に突入した際にタイヤ５の内部と外部を連通してタイヤ５内の空気を排出するための通気孔１７が設けられている。【００７８】  従って、利器２２、２２がタイヤ５に突入した際に、通気孔１７を通してタイヤ５内の空気が容易に外部に排出され、短時間で確実に当該タイヤ５をパンクさせることが可能となる。【００７９】  次に、図１４、図１５に従い注射針形の利器２１について説明すると、利器２１は直径が５〜１５ｍｍ程度、高さが３０〜６０ｍｍ程度の管状を呈しており、その基部１９はその上部よりもその直径が２〜３ｍｍ程度拡開されている。【００８０】  材質は硬質のステンレスパイプでもよいが、鋼で形成し、形成後に焼入れをすることが望ましい。【００８１】  当該利器２１は中空であるので、タイヤ５に突入した際に、タイヤ５の内部と外部を連通してタイヤ５内の空気を排出するための通気路２３が設けられていることになる。【００８２】  前記利器２１の尖端面１８は注射針の尖端と同様に、その延在方向と交差するように鋭利に形成されており、当該利器２１の中央部近傍の周囲に、深さが０．５ｍｍ程度で幅が１ｍｍ程度の溝２０、２０が削設されている。【００８３】  なお、寸法や材質、熱処理については必ずしも上記のように構成する必要はなく、事情に応じて適宜選択できるものである。【００８４】  かように、利器２１の周囲に溝２０、２０が形成されていると、タイヤ５に突入した利器２１は前記溝２０、２０がタイヤ５の断面に食い込み、タイヤ５が回転を続けても当該利器２１はタイヤ５から抜去されることがなく、利器２１がタイヤ５に突入された状態が確実に維持される。【００８５】  また、利器２１の基部に拡開部１９が形成されているので、タイヤに突入した利器は拡開部で停止し、それ以上はタイヤ５には進入せず、利器２１が完全にタイヤ５の空洞部内に埋没することはない。【００８６】  もし、利器２１が完全にタイヤ５を貫通してタイヤ内に抜けタイヤの空洞部に埋没してしまうと、利器によって一旦タイヤに穿設された貫通孔が目詰まりを起こし、タイヤ５内の空気が容易に外部に排出されないこととなる。【００８７】  更に、利器２１の内部が研磨されていると、利器２１に突入した際に通気路２３内に切り取られるタイヤ５の破片は、基部１９からスムーズに排出されることになる。【００８８】  図１６、図１７は前記利器２１、２１が支持台１に２本立設されている実施の形態を表している。【００８９】  かように、利器２１を支持台１に複数本立設すると、空気の排出能力が高まり、よ���短時間でタイヤ５をパンクさせることが可能となる。
【発明の効果】
【００９０】  第１の発明は、自動車の駆動手段によってタイヤが回転することにより、当該タイヤが利器に押圧し、前記タイヤを破壊するものであるので、検問時に被検問車両のタイヤの走行位置に前記利器を位置させると、当該車両が突然発進してもタイヤが前記利器を踏みつけて破壊され、それ以上の走行は抑制されることになる。
【００９１】  従って、従来発生していた人身事故や事件を完全に防止することができる。
【００９２】  第２の発明では、利器をタイヤの回転方向の前後に位置させるので、被検問車両が前進しても後退してもタイヤは利器によって破壊されその走行はより確実に抑制されることになる。
【００９３】  第３の発明では、タイヤを破壊するための利器と、当該利器を保持する保持台とよりなり、自動車の駆動手段によってタイヤが回転することにより、当該タイヤが前記利器に押圧されることによって、前記タイヤが破壊されるので、検問時に被検問車両のタイヤの走行位置に前記利器を位置させると、当該車両が突然発進してもタイヤが前記利器を踏みつけて破壊され、それ以上の走行は抑制されることになる。
【００９４】  第４の発明では、利器がタイヤに突入することによって当該利器は前記保持台から離脱され、当該タイヤに残留するので、車両が走行を強行してもタイヤに利器が突入したままの状態で走行することになり、タイヤは確実に破壊されることになる。
【００９５】  第５の発明では、利器は軟質のカバーにて囲繞されているので、人体が誤って前記利器に接触するような状態が生じたとしても、前記カバーにて人体が直接利器と接触するが防止され、怪我をすることがない。
【００９６】  第６の発明では、軟質のカバーは、タイヤが利器の尖端に対向する方向から押圧されることにより、当該利器の尖端によって破断され、前記利器は前記カバーの破断部を通過してタイヤに突入するように構成されているので、タイヤが利器を踏みつけると前記カバーが破断され、当該タイヤは前記利器にて破壊されることになる。
【００９７】  第７の発明では、軟質のカバーは、人体が利器の尖端に対抗する方向からその体重によって押圧されても、当該利器の尖端によっては破断されないように構成されているので、人間が誤って前記利器を踏みつけても利器の尖端が人体に到達することがなく、安全である。
【００９８】  第８の発明では、利器は金属で形成されているのでタイヤをより確実に破壊することができ、また、保持台は合成樹脂で形成されているので、タイヤがそれを踏みつけた際にあらぬ方向に飛翔して人体などに当接しても深刻な傷害を与えず、さらに、カバーはゴムにて形成されているので、人体に直接接触しても傷害を与えることはない。
【００９９】  第９の発明では、利器は矢尻状を呈しているので、当該利器がタイヤに刺さった状態で容易に抜去されることはなく、確実にタイヤを破壊することが可能となる。
【０１００】  第１０の発明では、利器がタイヤに突入した際にタイヤの内部と外部を連通してタイヤ内の空気を排出するための通気孔が設けられているので、利器がタイヤに突入しただけではタイヤ内の空気が排出され難いような場合であっても、通気孔を通してタイヤ内の空気が容易に外部に排出され、短時間で確実にタイヤをパンクさせることが可能となる。
【０１０１】  第１１の発明では、タイヤの内部と外部を連通してタイヤ内の空気を外部に排出するための通気溝が設けられているので、利器がタイヤに突入しただけではタイヤ内の空気が排出され難いような場合であっても、通気溝を通してタイヤ内の空気が容易に排出され、短時間で確実にタイヤをパンクさせることが可能となる。
【０１０２】  第１２の発明では、利器は中空状を呈し、タイヤの内部と外部を連通してタイヤ内の空気を外部に排出するための通気路が設けられているので、例えば一般的な釘のように中実状の利器がタイヤに突入し、タイヤ内の空気が排出され難いような場合であっても、通気溝を通してタイヤ内の空気が容易に排出され、短時間で確実にタイヤをパンクさせることが可能となる。
【０１０３】  第１３の発明では、利器の尖端面は、注射針の尖端と同様に、その延在方向と交差するように鋭利に形成されているので、タイヤに容易に突入することが可能である。
【０１０４】  第１４の発明では、利器の周囲に凹凸が形成されているので、タイヤに突入した利器は当該凹凸部がタイヤの断面に食い込み、タイヤが回転を続けても当該利器はタイヤから抜去されることがなく、利器がタイヤに突入された状態が確実に維持される。
【０１０５】  第１５の発明では、利器の基部に拡開部が形成されているので、タイヤに突入した利器は拡開部で停止し、それ以上はタイヤには進入せず、利器が完全にタイヤの空洞部内に埋没することはない。
【０１０６】  第１６の発明では、カバーは三角筒を呈し、当該三角筒の一側面に保持台が装着され、当該保持台に利器の基部が装着され、前記利器の尖端は、三角筒の保持台が装着されている側面に対向する稜線の方向を向いているので、地上に利器を設置する際、前記稜線が上となる姿勢で設置すると、前記利器によって容易にタイヤが破壊されることになる。
【０１０７】  第１７の発明では、一対の支持桿が設けられ、当該支持桿の自由端部近傍に夫々利器が装着され、当該支持桿は基端部近傍がスライダに装着され、当該スライダは支柱に摺動自在に装着されており、前記利器が相互に連携してタイヤの回転方向の前後に位置するように構成されているので、少なくとも２個の利器がセットで備えられていることになり、タイヤの回転方向の前後に前記利器を短時間で設置することができる。
【０１０８】  第１８の発明では、スライダを下方に移動させることによって、両利器が離間するように構成されているので、タイヤの大小に合わせて両利器の間隔を容易に調整することができる。
【０１０９】  第１９の発明では、節度的に伸縮する伸縮本体の尖端部に支持桿が設けられ、当該支持桿の自由端部近傍に利器が装着されているので、前記利器をタイヤの前方に素早く位置させることができ、とっさの場合にも対応が可能となる。
【０１１０】  第２０の発明では、前記利器が相互に連携してタイヤの回転方向の前後に位置するように構成されているので、複数の利器がセットで備えられていることになり、タイヤの回転方向の前後に前記利器を短時間で設置することができる。
【図面の簡単な説明】
【図１】  本発明の実施の形態の外観斜視図である。
【図２】  本発明の実施の形態の内部の斜視図である。
【図３】  本発明の実施の形態の縦断面図である。
【図４】  本発明の実施の形態の、図３とは異なる状態の縦断面図である。
【図５】  本発明の実施の形態の、図３、図４とは異なる状態の縦断面図である。
【図６】  本発明の他の実施の形態の外観斜視図である。
【図７】  本発明の実施の形態の、図６とは異なる態様の外観斜視図である。
【図８】  本発明の実施の形態の、図７の支持桿の横断面図である。
【図９】  本発明の実施の形態の、図８の部分横断面図である。
【図１０】  本発明の実施の形態の、矢尻形の利器の正面図である。
【図１１】  本発明の実施の形態の、矢尻形の利器の平面図である。
【図１２】  本発明の実施の形態の、三角錐形の利器の正面図である。
【図１３】  本発明の実施の形態の、三角錐形の利器の平面図である。
【図１４】  本発明の実施の形態の、注射針形の利器の正面図である。
【図１５】  本発明の実施の形態の、注射針形の利器の側面図である。
【図１６】  本発明の実施の形態の、複数の注射針形の利器の正面図である。
【図１７】  本発明の実施の形態の、複数の注射針形の利器の平面図である。
【符号の説明】
１    支持台
２    利器
３    カバー
４    空間
５    タイヤ
６    支柱
７    スライダ
８    支持桿
９    通気溝
１０    外筒
１１    中筒
１２    長孔
１３    内筒
１４    摺動ピン
１５    長孔
１６    摺動ピン
１７    通気孔
１８    尖端面
１９    拡開部（基部）
２０    溝
２１    利器
２２    利器
２３    通気路
【図１】
2006103653.tif 000003
【図２】
2006103653.tif 000004
【図３】
2006103653.tif 000005
【図４】
2006103653.tif 000006
【図５】
2006103653.tif 000007
【図６】
2006103653.tif 000008
【図７】
2006103653.tif 000009
【図８】
2006103653.tif 000010
【図９】
2006103653.tif 000011
【図１０】
2006103653.tif 000012
【図１１】
2006103653.tif 000013
【図１２】
2006103653.tif 000014
【図１３】
2006103653.tif 000015
【図１４】
2006103653.tif 000016
【図１５】
2006103653.tif 000017
【図１６】
2006103653.tif 000018
【図１７】
2006103653.tif 000019